(57)【要約】  【課題】  レバー式コネクタのレバーに指を掛けやすくすることでレバーの回動操作を容易にする。  【解決手段】  コネクタハウジング２１よりコ字枠状のレバー２２を回動可能に軸支しているレバー式コネクタ２０を収容する複数の収容部１１を備えたコネクタホルダー１０であって、収容部１１を囲む壁をレバー式コネクタ２０のレバー２２の中央連結部２２ａの載置部１４としていると共に、該レバー載置部１４の中央部にあたる壁上面から外側面にかけて切り欠いた指入れ用凹部１５を設け、収容部１１に収容保持されているレバー式コネクタ２０に相手方コネクタ３０を嵌合してレバー２２を回動操作する際に、指入れ用凹部１５に指を入れてレバー２２の中央連結部２２ａを回動可能としている。  【選択図】  図３
2005322541.tif 000002
【特許請求の範囲】
【請求項１】
コネクタハウジングよりコ字枠状のレバーを回動可能に軸支しているレバー式コネクタを収容する複数のコネクタ収容部を備えたコネクタホルダーであって、
前記コネクタ収容部を囲む壁を前記レバー式コネクタのレバーの中央連結部を載置するレバー載置部としていると共に、該レバー載置部の中央部にあたる壁上面から外側面にかけて切り欠いた指入れ用凹部を設け、前記コネクタ収容部に収容保持されている前記レバー式コネクタに相手方コネクタを嵌合して前記レバーを回動操作する際に、前記指入れ用凹部に指を入れて前記レバーの中央連結部を回動操作できる構成としていることを特徴とするコネクタホルダー。
【請求項２】
前記少なくとも１つのレバー載置部は、前記指入れ用凹部を挟む壁外面の両側位置に、該壁上面に載置する前記レバーよりも突出する保護壁を設けている請求項１に記載のコネクタホルダー。
【発明の詳細な説明】
【技術分野】
【０００１】
本発明は、コネクタホルダーに関し、詳しくは、コネクタホルダーに設けた複数のコネクタ収容部にそれぞれレバー式コネクタを収容し、これらレバー式コネクタに相手方コネクタを嵌合する時にコネクタホルダーの壁上面に載置しているレバーの回動操作性を向上するものである。
【背景技術】
【０００２】
従来、自動車用ワイヤハーネスに用いる複数のコネクタを収容保持して、電気接続箱や車体パネル等に固定するものとしてコネクタホルダーが用いられている。
近時、コネクタは多極化により大型化し、このようなコネクタは相手方コネクタとの結合に大きな嵌合力を要することより、レバー式コネクタが汎用されている。該レバー式コネクタは、一方のコネクタハウジングにコ字枠状のレバーを設け、該レバーの回動操作で他方のコネクタを引き付けて嵌合させる構成からなる。該レバー式コネクタを前記コネクタホルダーで保持する場合には、レバーを取り付けたコネクタをホルダーのコネクタ収容部に収容保持しておき、レバーを倒した状態でホルダーの壁上面に載置しておき、相手方コネクタを嵌合させる時にレバーを壁上面より回転させコネクタ同士を嵌合結合している。
【０００３】
本出願人は、特開平１０−４１００５号（特許文献１）において、図９に示すように、レバー式コネクタを収容して電気接続箱等に固定するコネクタホルダー１を提供している。該コネクタホルダー１は、収容部１ａにレバー式コネクタ２を収容し、相手方コネクタ（図示せず）と嵌合するまで一方の側壁１ｂ側にレバー３を倒して仮係止しておき、相手方コネクタとの嵌合の際に、他方の側壁１ｃ側にレバー３を回動させてレバー式コネクタ２と相手方コネクタとを嵌合させている。
【０００４】
しかしながら、前記コネクタホルダー１であると、仮係止したレバー３とコネクタホルダー１の一方の側壁１ｂとの間に十分なスペースがない場合、レバー３を回動させる際に、レバー３と側壁１ｂとの間に指を入れることができずレバー３の回動操作を行いにくい問題がある。
【特許文献１】特開平１０−４１００５号公報
【発明の開示】
【発明が解決しようとする課題】
【０００５】
本発明は前記問題に鑑みてなされたものであり、レバー式コネクタのレバーに指を掛けやすくすることでレバーの回動操作を容易にできるようにすることを課題としている。
【課題を解決するための手段】
【０００６】
前記課題を解決するため、本発明は、コネクタハウジングよりコ字枠状のレバーを回動可能に軸支しているレバー式コネクタを収容する複数のコネクタ収容部を備えたコネクタホルダーであって、
前記コネクタ収容部を囲む壁を前記レバー式コネクタのレバーの中央連結部を載置するレバー載置部としていると共に、該レバー載置部の中央部にあたる壁上面から外側面にかけて切り欠いた指入れ用凹部を設け、前記コネクタ収容部に収容保持されている前記レバー式コネクタに相手方コネクタを嵌合して前記レバーを回動操作する際に、前記指入れ用凹部に指を入れて前記レバーの中央連結部を回動操作できる構成としていることを特徴とするコネクタホルダーを提供している。
【０００７】
前記構成によれば、レバー式コネクタのレバーの中央連結部を載置しているレバー載置部の中央部に指入れ用凹部を設けているため、レバーを回動操作する際に指入れ用凹部に指を入れてレバーに指を簡単に掛けることができ回動操作を容易にできる。
また、指入れ用凹部はコネクタ収容部を囲む壁の下端まで設けず、指入れができる程度の凹部として下方に壁を残している。よって、該壁によりレバー式コネクタに接続した電線とレバーとが遮ぎられるため、電線がレバーに引っ掛ってレバーの回動操作が行いにくくなったり、レバーに電線が干渉して仮係止位置から外れ、相手方コネクタとの嵌合の際にレバーを仮係止位置に戻さなければならなくなる問題もなく、レバー式コネクタと相手方コネクタとの嵌合の作業性が低下することがない。また、指入れ用凹部の下方に壁を残すことにより、コネクタホルダーの強度を保つことができる利点もある。
【０００８】
前記少なくとも１つのレバー載置部は、前記指入れ用凹部を挟む壁外面の両側位置に、該壁上面に載置する前記レバーよりも突出する保護壁を設けていることが好ましい。
前記構成によれば、保護壁でレバーの側面を囲っているため、上方以外からレバーに外部干渉材が干渉するのを防止でき、レバーが仮係止状態から外れるのを確実に防止することができる。また、保護壁を設けることにより、コネクタホルダーの強度を保つことができる利点もある。
【発明の効果】
【０００９】
前述したように、本発明によれば、レバー式コネクタを収容するコネクタホルダーにおいて、レバー式コネクタのレバーの中央連結部を載置しているレバー載置部の中央部に指入れ用凹部を設けているため、レバーを回動操作する際に指入れ用凹部に指を入れてレバーに指を簡単に掛けることができ回動操作を容易にできる。
また、指入れ用凹部は収容部を囲む壁の下端まで設けず、指入れ用凹部の下方に壁を残して、該壁によりレバー式コネクタに接続した電線とレバーとを遮っているため、電線がレバーに引っ掛ったり、レバーに電線が干渉して仮係止位置から外れる問題もなく、レバー式コネクタと相手方コネクタとの嵌合の作業性が低下することがない。
【発明を実施するための最良の形態】
【００１０】
本発明の実施形態を図面を参照して説明する。
図１乃至図７は、本発明の第１実施形態を示し、樹脂成型品からなるコネクタホルダー１０は、レバー式コネクタ２０を収容する３つのコネクタ収容部１１を備えている。コネクタ収容部１１は、周囲を壁で囲んで上下両面を開口とし、該壁の内周面にレバー式コネクタ２０を係止するロック部１７を設けている。
【００１１】
コネクタ収容部１１Ａと１１Ｃとは壁１２を介して隣接させている一方、コネクタ収容部１１Ｂと１１Ａ、１１Ｂと１１Ｃとは壁１３を介して隣接させている。コネクタ収容部１１Ａと１１Ｃは長辺方向を一致させて並設する一方、コネクタ収容部１１Ｂはコネクタ収容部１１Ａ、１１Ｂに対して直交方向としている。
【００１２】
コネクタ収容部１１Ｂの一方の短辺側の壁をレバー式コネクタ２０のレバー２２の中央連結部２２ａを載置するのレバー載置部１４Ｂとし、該レバー載置部１４Ｂの中央部にあたる壁上面１４ａから切り欠いた指入れ用凹部１５Ｂを設けている。
また、コネクタ収容部１１Ａと１１Ｂ、１１Ｃと１１Ｂを仕切っている壁１３を収容部１１Ａ、１１Ｃに収容するレバー式コネクタ２０のレバー２２の中央連結部２２ａを載置するレバー載置部１４Ａ、１４Ｃとし、同様に、レバー載置部１４Ａ、１４Ｃの中央部にそれぞれ指入れ用凹部１５Ａ、１５Ｃを切り欠いて設けている。
これら指入れ用凹部１５Ａ、１５Ｂ、１５Ｃは、レバー式コネクタ２０のレバー２２を回動させる作業員の指が十分に入る深さに設定している。
【００１３】
また、コネクタ収容部１１Ａと１１Ｂ、１１Ｃと１１Ｂを仕切っている壁１３に設けたレバー載置部１４Ａ、１４Ｃは、コネクタホルダー１０の外周壁に設けたレバー載置部１４Ｂよりも高い位置に設けて、収容部１１Ｂにレバー式コネクタ２０を収容した状態でも収容部１１Ａ、１１Ｃに収容したレバー式コネクタ２０のレバー２２に指を掛けて回動できるようにしている。
コネクタホルダー１０には、所要箇所に車体パネル等へ位置決め固定するためのクランプ１６を設けている。
【００１４】
コネクタホルダー１０の収容部１１に収容するレバー式コネクタ２０は、図２に示すように、電線ｗ１の端末に接続されているものであり、コネクタハウジング２１よりコ字枠状のレバー２２を回動可能に軸支している。レバー２２は、左右両枠部２２ｂの先端を中央連結部２２ａにより連結し、該中央連結部２２ａを回動操作用の把持部としている。また、レバー２２の左右両枠部２２ｂの内面に凹部（図示せず）を設けると共に、コネクタハウジング２１の外面の所要箇所に前記凹部に係止する凸部（図示せず）を設けており、該凹部と凸部が係合することによりレバー２２は仮係止位置で保持されている。
コネクタハウジング２１の上面側には、相手方コネクタ３０を収容する嵌合凹部２３を設け、該嵌合凹部２３の底壁２３ａにレバー式コネクタ２０の端子（図示せず）を突出させる端子孔２４を穿設している。
一方、レバー式コネクタ２０に嵌合する相手方コネクタ３０は電線ｗ２の端末に接続されており、レバー式コネクタ２０の嵌合凹部２３に収容した後、レバー２２を図２に示す仮係止位置から他方側へと回動させることによりレバー式コネクタ２０に嵌合されるものである。
【００１５】
次に、レバー式コネクタ２０のコネクタホルダー１０への固定方法及びレバー式コネクタ２０と相手方コネクタ３０との嵌合方法について説明する。
先ず、コネクタホルダー１０のコネクタ収容部１１Ａ〜１１Ｃにそれぞれレバー式コネクタ２０を挿入して係止する。このとき、レバー式コネクタ２０のレバー２２は仮係止位置から少し他方側へ回動させておき、挿入作業の邪魔にならないようにしている。そして、レバー式コネクタ２０をコネクタホルダー１０のコネクタ収容部１１に係止した後、レバー２２を仮係止位置に戻すと、図３及び図４に示すように、レバー２２の中央連結部２２ａがコネクタホルダー１０のレバー載置部１４上に載置される。
【００１６】
このようにしてレバー式コネクタ２０を固定したコネクタホルダー１０を相手方コネクタ３０との嵌合作業を行う位置まで搬送する。
そして、図５に示すように、コネクタホルダー１０のコネクタ収容部１１Ａに係止したレバー式コネクタ２０の嵌合凹部２３に相手方コネクタ２０を収容し、指入れ用凹部１５Ａに指を入れて、コネクタ収容部１１Ａに収容しているレバー式コネクタ２０のレバー２２の中央連結部２２ａに指を引っ掛け、該レバー２２を仮係止位置から他方側へ回動させ、レバー式コネクタ２０と相手方コネクタ３０とを嵌合する。このとき、コネクタ収容部１１Ｂに収容したレバー式コネクタ２０のレバー２２が指入れ用凹部１５Ａに対向する位置に配置されていないため、指入れ凹部１５Ａに指を簡単に入れることができ、レバー２２の回動操作を行なうことができる。
【００１７】
次いで、同様に、図６に示すように、コネクタホルダー１０のコネクタ収容部１１Ｂに係止したレバー式コネクタ２０の嵌合凹部２３に相手方コネクタ３０を収容し、指入れ用凹部１５Ｂからレバー２２の中央連結部２２ａに指を引っ掛け、該レバー２２を回動させて、レバー式コネクタ２０と相手方コネクタ３０とを嵌合する。
次いで、図７に示すように、コネクタホルダー１０のコネクタ収容部１１Ｃに係止したレバー式コネクタ２０の嵌合凹部２３に相手方コネクタ２０を収容し、指入れ用凹部１５Ｃからレバー２２の中央連結部２２ａに指を引っ掛け、該レバー２２を回動させて、レバー式コネクタ２０と相手方コネクタ３０とを嵌合する。このとき、コネクタ収容部１１Ｂに収容したレバー式コネクタ２０のレバー２２が既に回動され、指入れ用凹部１５Ｃに対向する位置に配置されていないため、指入れ凹部１５Ｃに指を簡単に入れることができる。前記した態様で全てのレバー式コネクタ２０と相手方コネクタ３０が順次嵌合される。
【００１８】
このようにしてレバー式コネクタ２０と相手方コネクタ３０が組み付けられたコネクタホルダー１０を車両に配索する際、車体係止用のクランプ１６を車体パネルに設けた貫通孔に挿入し、コネクタホルダー１０を車体パネルに固定している。
【００１９】
前記構成とすると、レバー式コネクタ２０のレバー２２の中央連結部２２ａを載置しているレバー載置部１４の中央部に指入れ用凹部１５を設けているため、レバー２２を回動操作する際に指入れ用凹部１５に指を入れてレバー２２に指を簡単に掛けることができ回動操作を容易にできる。
また、指入れ用凹部１５は収容部１１を囲む壁の下端まで設けず、指入れ用凹部１５の下方に壁を残して、該壁によりレバー式コネクタ２０に接続した電線ｗ１とレバー２２とを遮っているため、電線ｗ１がレバー２２に引っ掛って回動操作が行いにくくなったり、レバー２２に電線ｗ１が干渉して仮係止位置から外れ、相手方コネクタ３０との嵌合の際にレバー２２を仮係止位置に戻さなければならなくなる問題もなく、レバー式コネクタ２０と相手方コネクタ３０との嵌合の作業性が低下することがない。
【００２０】
さらに、本実施形態のコネクタホルダー１０では、収容部１１Ａ、１１Ｃに収容しているレバー式コネクタ２０の仮係止位置のレバー２２の近傍に収容部１１Ｂに収容した他のレバー式コネクタ２０と相手方コネクタ３０が配置されているが、前記のように指入れ用凹部１４Ａ、１４Ｃを設けているため、前記レバー２２と他のレバー式コネクタ２０との間隔を小さくできコネクタホルダー１０を小型化できる。
【００２１】
図８は、本発明の第２実施形態を示し、コネクタホルダー１０’の指入れ用凹部１５’を挟む両側位置に、レバー載置部１４’に載置するレバー２２の外周面側にレバー２２よりも突出する保護壁１８を突設している。該保護壁１８は、コネクタホルダー１０’の外周位置にあるレバー載置部１４Ｂ’にのみ設けており、コネクタ収容部１１Ｂ’と対向する位置、即ち、コネクタホルダー１０’の外周以外の位置にあるレバー載置部１４Ａ’、１４Ｃ’には保護壁１８を設けていない。
【００２２】
前記構成によれば、保護壁１８でレバー２２の外面を囲っているため、上方以外からレバー２２に外部干渉材が干渉するのを防止でき、レバー２２が仮係止状態から外れるのを確実に防止することができる。
なお、他の構成及び作用効果は第１実施形態と同様のため、同一の符号を付して説明を省略する。
【図面の簡単な説明】
【００２３】
【図１】本発明の第１実施形態のコネクタホルダーの斜視図である。
【図２】レバー式コネクタと該レバー式コネクタに嵌合する相手方コネクタの斜視図である。
【図３】コネクタホルダーにレバー式コネクタを係止した状態を示す要部拡大図である。
【図４】コネクタホルダーにレバー式コネクタを係止した状態を示す平面図である。
【図５】レバー式コネクタと相手方コネクタとの嵌合作業の第１工程を示す図面である。
【図６】レバー式コネクタと相手方コネクタとの嵌合作業の第２工程を示す図面である。
【図７】レバー式コネクタと相手方コネクタとの嵌合作業の第３工程を示す図面である。
【図８】本発明の第２実施形態を示す図面である。
【図９】従来例を示す図面である。
【符号の説明】
【００２４】
１０  コネクタホルダー
１１  収容部
１４  レバー載置部
１５  指入れ用凹部
１８  保護壁
２０  レバー式コネクタ
２２  レバー
２２ａ  中央連結部
３０  相手方コネクタ
ｗ１、ｗ２  電線
【図１】
2005322541.tif 000003
【図２】
2005322541.tif 000004
【図３】
2005322541.tif 000005
【図４】
2005322541.tif 000006
【図５】
2005322541.tif 000007
【図６】
2005322541.tif 000008
【図７】
2005322541.tif 000009
【図８】
2005322541.tif 000010
【図９】
2005322541.tif 000011